(57)【要約】      （修正有）【課題】配管設備が容易であると共に配管後の補修も可能で作業の不具合が発生しないこと、及び安定した商品の供給が出来る二重配管用保護管の連結用継ぎ手及びこの継ぎ手を用いた二重配管を提供する。【解決手段】両側端部に鍔部３を形成し、この鍔部３の孔から連結する各保護管７を管内に挿通可能とした本体２と、この鍔部の外周端面に当接する端面を有し、連結する各保護管７に摺動可能な透孔を形成した環体４と、Ｏリング６より成る連結用継手１とする。環体４及びＯリング６を嵌挿した連結する各保護管７の端部を、鍔部３の孔から本体２内へ長さを調整して挿通する。鍔部３の外周端面にＯリング６を介して環体４の対向する端面を締着する。この締着挟圧によってＯリング６を変形させて保護管７を把持して固定する。【選択図】図２
2014070664.tif 000002
【特許請求の範囲】
【請求項１】
両側端部に鍔部を形成し、この鍔部の孔から連結する各保護管を管内に挿通可能とした本体と、この鍔部の外周端面に当接する端面を有し、連結する各保護管に摺動可能な透孔を形成した環体と、Ｏリングより成る連結用継手であって、環体及びＯリングを嵌挿した連結する各保護管の端部を、鍔部の孔から本体内へ長さを調整して挿通し、鍔部の外周端面にＯリングを介して環体の対向する端面を締着し、この締着挟圧によってＯリングを変形させて保護管を把持し、固定することを特徴とする二重配管用保護管の連結用継ぎ手。
【請求項２】
本体の管内が透視可能であることを特徴とする請求項１記載の二重配管用保護管の連結用継ぎ手。
【請求項３】
環体の透孔に沿ってＯリングを係止する段部が、Ｏリングの外径より浅く形成されていることを特徴とする請求項１又は２記載の二重配管用保護管の連結用継ぎ手。
【請求項４】
請求項１乃至３の連結用継ぎ手を実管の連結部と対応する位置に配置したことを特徴とする二重配管の構造。
【発明の詳細な説明】
【技術分野】
【０００１】
本発明は化学液や各種処理廃棄液等の各工程装置間等の搬送や、液体の供給に配設する二重配管用保護管の連結用継ぎ手及びこの継ぎ手を用いた二重配管の構造に関するものである。
【背景技術】
【０００２】
化学溶液や各種処理廃液等の装置間の搬送には配管を施設して行っているのであり、その場合、管を二重として実際に液が通る実管に液漏水が生じても被包する保護管によって外部への流出を防止するのが好ましく、又実管の保護管として安全上からも要請されるところである。
【０００３】
しかし、現実の配管はフレキシブルなホースを保護管として二重管を構成したもの、樋状の受皿内に実管を載置する構成が採用されている。
さらに、直線部及びエルボ部を共に実管と保護管の二重構造とし、適宜箇所に中央部の透孔に実管が挿着されると共に、保護管の内周壁に周端面が当接するセンタリングスペーサを配置したものもある。
【先行技術文献】
【特許文献】
【０００４】
【特許文献１】特開２００１−２００９８０
【特許文献２】特開２００４−１０８５６８
【発明の概要】
【発明が解決しようとする課題】
【０００５】
二重配管で作業上問題となる点は、保護管は実管と周囲に空間を形成して被覆して配管するものであるから、長さを実管に合わせて形成する必要があること、その配管設備を容易に行なえること、実管を保護すると共に実管の液漏れが外部に及ばないように阻止できること、実管や保護管の補修が容易に行なえるような構造であること等が求められている。
【０００６】
そこで、本発明は配管設備が容易であると共に配管後の補修も可能で作業の不具合が発生しないこと、及び安定した商品の供給が出来る二重配管用保護管の連結用継ぎ手及びこの継ぎ手を用いた二重配管を提供することを目的とする。
【課題を解決するための手段】
【０００７】
本発明の請求項１に係る二重配管用保護管の連結用継ぎ手は、両側端部に鍔部を形成し、この鍔部の孔から連結する各保護管を管内に挿通可能とした本体と、この鍔部の外周端面に当接する端面を有し、連結する各保護管に摺動可能な透孔を形成した環体と、Ｏリングより成る連結用継手であって、環体及びＯリングを嵌挿した連結する各保護管の端部を、鍔部の孔から本体内へ長さを調整して挿通し、鍔部の外周端面にＯリングを介して環体の対向する端面を締着し、この締着挟圧によってＯリングを変形させて保護管を把持し、固定することを特徴とするものである。
【０００８】
請求項２に係る本発明の二重配管用保護管の連結用継ぎ手は、請求項１において、本体の管内が透視可能であることを特徴とするものである。
【０００９】
請求項３に係る本発明の二重配管用保護管の連結用継ぎ手は、請求項１又は２において、環体の透孔に沿ってＯリングを係止する段部が、Ｏリングの外径より浅く形成されていることを特徴とするものである。
【００１０】
請求項４に係る本発明の二重配管の構造は、請求項1乃至３の連結用継ぎ手を実管の連結部と対応する位置に配置したことを特徴とするものである。
【発明の効果】
【００１１】
請求項1の発明は、環体及びＯリングを嵌挿した連結する各保護管の端部を、鍔部の孔から本体内へ長さを調整して挿通し、鍔部の外周端面にＯリングを介して環体の対向する端面を締着し、この締着挟圧によってＯリングを変形させて保護管を把持し、固定するものである。
したがって、容易に実管の長さに一致させて保護管を接続することが出来ると同時に、両端の接続部共に連結部を接着剤で接着や螺着すること無く隙間の発生を防止して連結できる効果を発揮するものである。
【００１２】
また、環境によって、主管と保護管の長さに長短の不具合が生じた場合に、環体と鍔部の外周端面との締着を緩めてＯリングの把持を解除し、一方又は両方の保護管を摺動させて実管との長さを微調整して整合させた後、再度締着することで、容易に不具合を解消することができる効果を有する。
【００１３】
更に、環体と鍔部の外周端面との締着を緩めてＯリングの把持を解除して一方の保護管へ継ぎ手を移動させれば、連結を絶たれた保護管は対応部の実管の取り外しが可能となり、実管や保護管の取替え或いは補修作業を容易にすることができる効果も発揮するものである。
【００１４】
そして、工場内で前もって配管形態や寸法に合わせて組み立て、各パーツの性能検査を実施確認し、現場へ分割搬入して組み立てることにより、現場作業を極力抑え、作業時間の短縮と容易化を期待できる効果を有する。
【００１５】
請求項２の発明は請求項1の効果に加え、継ぎ手本体の管内を透視可能としたため、実管に生じた液漏れの発見や外観の観察が容易に可能となる効果を有する。
【００１６】
請求項３の発明は請求項1又は２の効果に加え、環体の透孔に沿ってＯリングを係止する段部が、Ｏリングの外径より浅く形成されているため、Ｏリングの位置決めを為し、挟圧変形を保護管の把持方向へガイドする作用効果を発揮するものである。
【００１７】
請求項４の発明は、連結用継ぎ手を実管の連結部と対応する位置に配置することで、実管の液漏れ原因が多く発生する連結部の液漏れの発見と修繕が容易となり、又、実管の部分的交換作業にも対処できる効果を発揮するものである。
【図面の簡単な説明】
【００１８】
【図１】本発明の一実施の形態を示す正面図である。
【図２】図１の要部断面図である。
【図３】本発明の継ぎ手の要部断面図である。
【図４】本発明の環体の側面図である。
【図５】本発明の環体とＯリングとの関係を示す断面図である。
【発明を実施するための形態】
【００１９】
本発明の一実施の形態を図面に基づいて説明する。
図１は本発明の二重配管の連結部分の構造を示す一実施の形態を示す正面図であり、実管Ａと、実管Ａの周囲に空間を形成して被覆した保護管７の内外の二重配管で構成され、材質としては塩化ビニールで成型したものが一般的に普及している。
【００２０】
そして、本発明の対象である二重配管用保護管の連結用継ぎ手１は、両側端部に鍔部３を形成し、この鍔部３の孔３３から連結する各保護管７、７を管内に挿通可能とした本体２と、この鍔部３の外周端面３５に当接する端面４１を有し、連結する各保護管７、７に摺動可能な透孔５を形成した環体４と、Ｏリング６より構成されている。
【００２１】
そして、環体４及びＯリング６を嵌挿した連結する各保護管７、７の端部を、鍔部３の孔３３から本体２内へ長さを調整して挿通し、鍔部３の外周端面３５にＯリング６を介して環体４の対向する端面４３を締着し、この締着挟圧によってＯリング６を変形させて保護管７を把持し、固定するものである。
【００２２】
連結用継ぎ手１の両側端部に形成した鍔部３は、本体２の端部に口部３１が嵌合接着すると共に、本体２の端面に後面が突合した鍔体３４で形成され、鍔体３４には厚さ方向に定間隔に締着用孔３２が複数設けられている。
また、この鍔部３から挿入する保護管７は、鍔体３４の孔３３に軽く摺擦して貫通し、連結用継ぎ手１の本体２内に挿通可能な外径を有している。
【００２３】
環体４は前記鍔部３の外周端面３２に相対する端面４３を有すると共に、当該端面４３の透孔５に沿ってＯリング６を係止する段部４１が、Ｏリング６の外径より浅く形成されている。
また、鍔部３の厚さ方向に定間隔に設けられた各締着用孔３２に対応する締着用孔４２が複数設けられ、互い当着して重なる締着用孔３２、４２にボルト９１を挿入してナット９２を螺合して締着するものである。
【００２４】
Ｏリング６は接続する保護管７の外周と摺動可能な内径を有し、断面が円形のゴム又は軟質のプラスチック製で、押圧すると潰れ断面が楕円状に変形する。
前記環体４の段部４１に、Ｏリング６が端面４３から突出して係止されるため、鍔部３の外周端面３５との挟圧によって段部４１内に押圧されると共に潰れ、段部４１にも押されて保護管７側に変形して密着すると共に強く把持する作用を呈する。
【００２５】
そこで、環体４及びＯリング６を嵌挿した接続する保護管７を、鍔部３を形成した側端部から挿通して被覆する主管Ａと一致するように連結用継ぎ手１内に挿通する長さを調節した後、環体４と鍔部３の外周端面間にＯリング６を挟み、環体４と前記鍔部３との重なる締着用孔３２、４２にボルト９１を挿入してナット９２を螺合して締着すれば、この挟圧によって生じるＯリング６が変形して保護管７に強く密着して把持固定するものである。
【００２６】
したがって、連結用継ぎ手１によって、保護管７、７と長さ調節自在に連結され、主管Ａから漏れた液が、何れの連結部分からも保護管外へ漏洩する虞がない結合となるもので、従来のように連結部を更に接着剤で固める必要はない。
【００２７】
そこで、配管設備設置後であっても、鍔部３側の締着しているナット９２を緩めれば保護管７、７がスライド可能となって、保護管７の長さの再調節を行なうことができる。
連結用継ぎ手１を透明材で形成しておけば、主管Ａに生じた液漏れの発見や外観の観察が容易に確認できるようになり、また、ドレーン口１０は主管Ａより漏れた液を貯留して回収するのに利用できる。
【００２８】
そして、鍔部３側の締着しているナット９２を緩めた状態で、連結継ぎ手１と保護管７とが摺動して横移動も自由であるから、一端側の保護管７との結合を分離して互いの端部を開口すれば、清掃等に利用することもできる。
また、連結用継ぎ手１を実管Ａの連結部と対応する位置に配置することで、実管Ａの液漏れ原因が多く発生する連結部の液漏れの発見と修繕が容易となり、実管Ａの部分的交換作業にも対処でき、実管Ａや保護管７の取替え或いは補修作業を容易にすることができる。
【００２９】
さらに、工場内で前もって配管形態や寸法に合わせて組み立て、各パーツの性能検査を実施確認し、現場へ分割搬入して組み立てることにより、現場作業を極力抑え、作業時間の短縮と容易化を期待できるものである。
【００３０】
以上のように、本発明を図面に基づいて説明した実施の形態における具体的構成は一例であり、同様の作用効果を得られる他の構成又は手段を排除するものではない。
【符号の説明】
【００３１】
１          連結用継ぎ手
２          本体
３          鍔部
４          環体
５          透孔
６          Ｏリング
７          保護管
１０        ドレーン口
３１        口部
３２、４２  締着用孔
３３        孔
３４        鍔体
３５        外周端面
４１        段部
４３        端面
９１        ボルト
９２        ナット
【図１】
2014070664.tif 000003
【図２】
2014070664.tif 000004
【図３】
2014070664.tif 000005
【図４】
2014070664.tif 000006
【図５】
2014070664.tif 000007